(57)【要約】【課題】電池切れが生じた場合でも、電池によることなく、直ちに動作を可能にする携帯型電子装置を得ること。【解決手段】携帯型電子装置には発電ユニット１３１が内蔵されている。発電ユニット１３１はプーリ１３５に巻回したプルライン１１３を引き出してぜんまい１３３を巻き上げる機構と、ぜんまい１３３が解けるトルクを伝達してモータ１４２を高速で回転させる機構を備えている。モータ１４２の出力は定電圧回路で電圧の調整と平滑が行われ、電源消費部品に電源として直接供給される。２つの筐体を連結した携帯型電子装置では、これを開閉させる等の動きによってぜんまい１３３を巻き上げることもできる。【選択図】図５
2008109803.tif 000002
【特許請求の範囲】
【請求項１】
帯状の弾性体を渦巻状に巻回してなるぜんまいと、
このぜんまいを巻き上げて機械的なエネルギを蓄積させるための外力を作用させる外力印加手段と、
前記ぜんまいが解けるトルクで電力を発生させる電力発生手段と、
所定の定格電圧で電源の供給を受ける電源消費部品と、
前記電力発生手段の発生した電力の供給を受けて前記所定の定格電圧に調整する定電圧調整手段と、
この電圧調整手段により調整した前記所定の定格電圧を前記電源消費部品に印加する電圧印加手段
とを具備することを特徴とする携帯型電子装置。
【請求項２】
帯状の弾性体を渦巻状に巻回してなるぜんまいと、
このぜんまいを巻き上げて機械的なエネルギを蓄積させるための外力を作用させる外力印加手段と、
前記ぜんまいが解けるトルクで電力を発生させる電力発生手段と、
所定の定格電圧で電源の供給を受ける電源消費部品と、
内蔵の充電電池と、
前記電力発生手段の発生した電力の供給を受けて前記所定の定格電圧に調整する定電圧調整手段と、
この電圧調整手段により調整した前記所定の定格電圧と、前記充電電池の出力する電圧を前記電源消費部品に選択的に印加するスイッチ
とを具備することを特徴とする携帯型電子装置。
【請求項３】
前記電圧調整手段は、出力電圧を平滑するための平滑回路を具備することを特徴とする請求項１または請求項２記載の携帯型電子装置。
【請求項４】
前記外力印加手段は、前記ぜんまいを巻き上げる回転軸に連結されたプーリと、前記外力印加手段が外力を作用させていない状態でこのプーリに複数回巻回された糸と、この糸の一端に取り付けられ、前記ぜんまいを巻き上げる際に糸を解く方向に引っ張り出す引っ掛け具
とを具備することを特徴とする請求項１または請求項２記載の携帯型電子装置。
【請求項５】
前記外力印加手段は、２つの筐体部分を連結する連結部を所定の方向に回転させるときに作用する外力であることを特徴とする請求項１または請求項２記載の携帯型電子装置。
【請求項６】
前記外力印加手段は、２つの筐体部分を開閉する開閉部の開閉時に作用する外力であることを特徴とする請求項１または請求項２記載の携帯型電子装置。
【請求項７】
前記電力発生手段は、発電用のモータと、このモータに前記ぜんまいが解けるトルクを増速して伝達するトルク伝達手段を備え、このトルク伝達手段を構成する回動部品によるトルクの伝達を一時的に阻止するようにこの回動部品の回動する凹凸部分に進退自在に配置されたラッチ手段を更に具備することを特徴とする請求項１または請求項２記載の携帯型電子装置。
【請求項８】
前記スイッチは、前記定電圧調整手段の出力する電圧が前記内蔵の充電電池の電圧よりも高いとき前記定電圧調整手段の出力する電圧を選択して出力することを特徴とする請求項２記載の携帯型電子装置。
【発明の詳細な説明】
【技術分野】
【０００１】
本発明は、携帯型電子装置に係わり、特に電源の供給に工夫した携帯型電子装置に関する。
【背景技術】
【０００２】
携帯電話機、ＰＨＳ（Handy-phone System）、ＰＤＡ（Personal Digital Assistant）、小型のパーソナルコンピュータ等の携帯可能な携帯型電子装置が広く使用されている。これらの携帯型電子装置は各種の機能が追加されたり、搭載されているＣＰＵ（Central Processing Unit）の処理速度が向上するのに従って、消費電力が増大する傾向にある。２次電池の性能向上により電池の持ちもよくなってはいるが、通信機能を長時間使用する等の使用の態様によっては携帯型電子装置の電池切れが、たとえば１日といった比較的短時間で訪れる。電池切れが生ずれば、携帯型電子装置の一切の機能が使用不能となる。
【０００３】
従来では、このようなときの対応として、商用電源のコンセントや車のシガライターソケットが付近にあれば、そこまで移動して専用充電器をこれらに接続して充電を行っている。また、充電済の予備電池を常に携行していれば、これと交換することで電池切れを解消することができる。しかしながら、専用充電器や充電済の予備電池を常に携行しているとは限らない。乾電池を所定の電池ケースに入れて携帯型電子装置の電源端子に接続して電源を供給する装置や手回しハンドルや太陽電池を備えた充電装置も存在するが、これらについても携帯型電子装置と共に携行していなければ電池切れに対処することができない。
【０００４】
このように屋外で電池切れが生じた場合、幸いにも近くにコンビニエンスストアや電気店があれば、使い捨ての充電器や電池ケースと電池のセットを購入することができる場合がある。このような急場を凌ぐための製品は比較的高価であり、無駄となる。また、地震等の大規模災害の場合や登山中のように充電ができない環境で電池切れとなると、これらの製品の購入もできず、緊急時の通信といったような携帯型電子装置を所持することによる利点を活用することができない。
【０００５】
以上説明したように、携帯型電子装置は防災対策の観点からも、それ自体が電池切れへの万全な対策を備えていることが理想的である。
【０００６】
そこで、周囲に糸を巻きつけたドラムの内部にうずまきバネを配置し、発電ロータを回転させて電気を得るようにした第１の提案が提案されている（たとえば特許文献１参照）。この第１の提案では、うずまきバネによって糸を往復運動させる動作を繰り返し、一つの方向に糸が動くときにドラムが回転する。ドラムが回転するとドーボギアに歯合してある発電機のロータを回転させ、発生した電気が電池に充電される。
【０００７】
この第１の提案では、糸の往復運動のうちの一方向の運動中にドラムが回転するので、その回転は間歇的なものとなる。したがって、この電気エネルギを直接、電子回路等の電気部品に供給することができない。そこで、第１の提案では発電機の出力を電池に充電する構成を採っている。このため、一度、電池切れが生じると、電池の出力電圧を正常の値までに回復させるためには、かなりの電気エネルギを充電する必要がある。このためには糸の往復運動を、長時間、かつ膨大な回数だけ繰り返す必要がある。たとえば、ハンドルを手で回して発電機のロータを更に効率的に回転させて発電し、これを充電する装置も製品化されているが、同様の理由から現実には電池切れから電池を使用可能状態に回復させるのは困難であるとされている。
【０００８】
そこで、折り畳み式の携帯電話機の開閉トルクをぜんまいバネに蓄えて、連続振動源として圧電素子列を加振するようにした携帯電話機が第２の提案として提案されている（たとえば特許文献２参照）。この第２の提案では、折り畳み式の携帯電話機を開閉するたびに図示しないぜんまいバネに回転トルクを蓄積する。この回転トルクは、同じく図示しない圧電素子列に上下動の振動を与え続ける。
【特許文献１】特開２００１−１８９１５２号公報（第０００８段落、第００１１段落、図１）
【特許文献２】特開２００３−２０４０９１号公報（第００１０段落〜第００１４段落、図３）
【発明の開示】
【発明が解決しようとする課題】
【０００９】
圧電素子は、機械的加圧によって放電する時間帯が極めて短い。このため、これによって生じるパルス状の電力をそのまま回路部品に使用することはできない。そこで、第２の提案では圧電素子を複数個用意すると共に、これらの出力を充電電池に接続して充電するようになっている。このため、第１の提案と同様に電池切れが発生した場合には折り畳み式の携帯電話機の開閉操作を何度も繰り返す必要がある。また、単位時間当たりの電気エネルギの発生量が極めて微弱なので、通常の電源コンセントからの充電時間と比較して考えると、充電電池が使用可能になるまでには何時間も待機する必要があり、電池切れが生じたときの緊急時の連絡には不適格である。
【００１０】
そこで本発明の目的は、電池切れが生じた場合でも、電池によることなく、直ちに動作を可能にする携帯型電子装置を提供することにある。
【課題を解決するための手段】
【００１１】
請求項１記載の発明では、（イ）帯状の弾性体を渦巻状に巻回してなるぜんまいと、（ロ）このぜんまいを巻き上げて機械的なエネルギを蓄積させるための外力を作用させる外力印加手段と、（ハ）ぜんまいが解けるトルクで電力を発生させる電力発生手段と、（ニ）所定の定格電圧で電源の供給を受ける電源消費部品と、（ホ）電力発生手段の発生した電力の供給を受けて前記した所定の定格電圧に調整する定電圧調整手段と、（へ）この電圧調整手段により調整した前記した所定の定格電圧を電源消費部品に印加する電圧印加手段とを携帯型電子装置に具備させる。
【００１２】
すなわち本発明では、ぜんまいが解けるトルクで電力を発生させる電力発生手段が備わっており、これによって発生した電力は、定電圧調整手段で所定の定格電圧に調整されて電源消費部品に印加される。すなわち、ぜんまいによる電力発生手段は、定電圧調整手段に供給されることによって、充電電池を介することなく電源消費部品に供給することができる。したがって、電池切れが生じた場合でも、携帯型電子装置を直ちに動作させることができる。
【００１３】
請求項２記載の発明では、（イ）帯状の弾性体を渦巻状に巻回してなるぜんまいと、（ロ）このぜんまいを巻き上げて機械的なエネルギを蓄積させるための外力を作用させる外力印加手段と、（ハ）ぜんまいが解けるトルクで電力を発生させる電力発生手段と、（ニ）所定の定格電圧で電源の供給を受ける電源消費部品と、（ホ）内蔵の充電電池と、（へ）電力発生手段の発生した電力の供給を受けて前記した所定の定格電圧に調整する定電圧調整手段と、（ト）この電圧調整手段により調整した前記した所定の定格電圧と、充電電池の出力する電圧を電源消費部品に選択的に印加するスイッチとを携帯型電子装置に具備させる。
【００１４】
すなわち本発明では、請求項１記載の発明と異なり、携帯電話機に充電電池がセットされている状態で、ぜんまいが解けるトルクによる電力を電源消費部品に供給することができるようにしている。このため、電圧調整手段により調整した所定の定格電圧と、充電電池の出力する電圧を電源消費部品に選択的に印加するスイッチが備えられている。なお、機械式でもよいが、スイッチは、定電圧調整手段の出力する電圧が内蔵の充電電池の電圧よりも高いとき定電圧調整手段の出力する電圧を選択して出力するような回路構成のものであれば（請求項８）、充電電池とぜんまいが解けるトルクによる電力の方の電圧が高い方を時分割的に利用することができるという優れた効果が得られる。
【発明の効果】
【００１５】
以上説明したように、本発明によれば、ぜんまいが解けるトルクで電力を発生させるので、太陽電池の場合とは異なり天候や昼夜の区別なく携帯電話機等の携帯型電子装置を所定時間、無公害で動作させることができる。また、定電圧調整手段で調整された電圧を電源消費部品に供給するので、充電電池を一度充電する必要なく、電源として使用することができる。更に、交換用予備電池、使い捨て充電電池等の電池を使用しないので、経済的であるだけでなく、経年変化によって消耗することがなく、いつでも電源として使用することができる。また、廃棄物が出ないので、環境にも優しい。
【発明を実施するための最良の形態】
【００１６】
以下実施例につき本発明を詳細に説明する。
【実施例１】
【００１７】
図１は、本発明の一実施例における携帯型電子装置としての携帯電話機の正面を見たものである。携帯電話機１００は、その装置本体１０１の前面の上端近傍にスピーカ１０２を配置しており、下端近傍にマイクロフォン１０３を配置している。これらの間には液晶あるいは有機ＥＬ（organic electroluminescence）からなるディスプレイ１０４と操作部１０５が配置されている。装置本体１０１の側部には、ラッチ解除ボタン１０６が配置されている。ラッチ解除ボタン１０６は、これを押下した状態で発電を行うために設けられた機械的なスイッチである。このラッチ解除ボタン１０６は押下した状態で更に押し下げると、図示しないばねによって元の位置に復帰し、ラッチ状態となる。
【００１８】
図２は、この携帯電話機の背面を見たものである。携帯電話機１００の装置本体１０１の背面には、鍵穴の形状をした凹部１１１が設けられており、この凹部１１１に操作プルリング１１２が挿脱自在に嵌入されている。操作プルリング１１２は、発電時に装置本体１０１から取り出して、その端部に取り付けられたプルライン１１３を図で下方向に引き出すように下方に動かすために用いられる。
【００１９】
図３は、この携帯電話機の操作プルリングを取り出した状態を表わしている。装置本体１０１の下端部から垂れ下がるように操作プルリング１１２が配置されている。
【００２０】
図４は、この携帯電話機の発電の手順を表わしたものである。同図（ａ）は、発電を開始する前の状態であり、図３と同一の状態である。同図（ｂ）は、操作プルリング１１２にユーザの図示しない指を掛けてプルライン１１３を最大限引き出した状態である。プルライン１１３を引き出すときにラッチ解除ボタン１０６は押し下げられており、ラッチが解除されている。この後、同図（ｂ）に示すようにラッチさせて発電待機状態となる。携帯電話機１０１からプルライン１１３を矢印１２１方向に引き出す長さが長いほど、発電の行われる時間は長い。
【００２１】
同図（ｃ）は、発電が行われている状態を示している。ラッチ解除ボタン１０６が押し下げられており、プルライン１１３はゆっくりと矢印１２２方向に移動する。ユーザはラッチ解除ボタン１０６を元の状態（同図（ａ）または（ｂ）の状態）に復帰させることで、発電を一時的に停止させることができる。プルライン１１３が同図（ａ）の状態にまで戻れば、発電は停止する。
【００２２】
図５は、この携帯電話機の装置本体に収容された発電ユニットを示したものである。発電ユニット１３１は箱状のケース１３２内に、ぜんまい１３３と、これを巻き上げる回転軸１３４に取り付けられたプーリ１３５およびこれと一体に取り付けられた大径の第１の歯車１３６を備えている。プーリ１３５にはプルライン１１３が巻回されている。第１の歯車１３６は、第２〜第４の歯車１３７〜１３９によって動力を伝達して回転を加速するようになっている。第４の歯車１３９には中央の盛り上がった円盤状のトルク伝達盤１４１が一体的に配置されており、その表面にはゴムが張られている。発電用のモータ１４２の回転軸には円錐状のロータ１４３が取り付けられており、これがトルク伝達盤１４１の表面と摺接している。これにより、トルク伝達盤１４１の回転がモータ１４２に伝達されるようになっている。
【００２３】
第３の歯車１３８の外歯を形成する凹凸部分には、原理的に示したラッチ機構１４４の先端部が進退自在に配置されるようになっている。ラッチ機構１４４の先端部が外歯を形成する凹部に挿入された状態で第３の歯車１３８はラッチされて回転を停止する。ラッチ解除ボタン１０６が押下された状態ではラッチが解除されて第３の歯車１３８は回転可能な状態となる。
【００２４】
図６は、本実施例の携帯電話機の回路構成の概要を表わしたものである。携帯電話機１００は、発電ユニット１３１と充電電池１５１の２系等の電源を備えている。発電ユニット１３１の図５に示したモータ１４２の出力は、定電圧回路１５２に入力されて、図示しないコンデンサ等の回路部品からなる平滑回路で直流のリップルを無くすように平滑化されると共に、電源消費部品１５３の定格電圧に調整されて、スイッチ回路１５４の一方の入力側に出力される。ここで、電源消費部品１５３とは、携帯電話機１００の図示しない制御部や通信回路等を含んだ電源を消費する全回路を指している。充電電池１５１はスイッチ回路１５４の他方の入力側に接続されている。
【００２５】
スイッチ回路１５４は機械的なスイッチで構成されていてもよいが、本実施例では定電圧回路１５２から電圧が印加されると、これが充電電池１５１の出力電圧よりも高いとき、その出力側を定電圧回路１５２に接続し、その状態で充電電池１５１との電気的な接続を断つようになっている。また、定電圧回路１５２の電源は、いかなる時点でも充電電池１５１側には供給されないようになっている。スイッチ回路１５４を機械的なスイッチで構成する場合には、定電圧回路１５２と充電電池１５１のいずれかを選択的に出力側の電源消費部品１５３に接続するようになっていればよい。
【００２６】
以上のような構成の携帯電話機１００では、充電電池１５１の電池切れが生じたとき、図２に示す装置本体１０１の背面の凹部１１１から操作プルリング１１２を取り出す。そして、図４（ｂ）に示すように操作プルリング１１２にユーザの指を掛けて、ラッチ解除ボタン１０６を押した状態でプルライン１１３を、たとえば最大限引き出す。これにより、図５に示したプーリ１３５が回転して、ぜんまい１３３が巻き上げられる。
【００２７】
ここで、ユーザは、一旦、ラッチ解除ボタン１０６をラッチ状態に戻す。そして、操作プルリング１１２やプルライン１１３が何かに引っ掛かるおそれがないことを確認すると共に、電話を掛ける場合等の携帯電話機１００の操作の準備を行った後、ラッチ解除ボタン１０６を操作してラッチを解除させる。これと共に、プーリ１３５および第１〜第４の歯車１３６〜１３９が回転を始めて発電ユニット１３１の発電が開始される。これと共に、プルライン１１３が図３（ｃ）で示す矢印１２２方向にゆっくりと移動してプーリ１３５に巻き取られていく。本実施例ではプルライン１１３を最大限引き出したとき、数分間の間、図６に示す定電圧回路１５２の出力がスイッチ回路１５４を経て電源消費部品１５３に供給される。したがって、ユーザは簡単な通話を行ったり、メールの作成や送受信を行うことができる。メールの場合には、作成を最初の段階で行い、再度、プルライン１１３を最大限引き出して、送受信を行うといったように処理を複数に分割することもできる。
【００２８】
以上説明した実施例では、発電の開始と共に、プルライン１１３が装置本体１０１に巻き上げられていき、その長さが変化する。したがって、ユーザはその長さを見ることで、通電が行われる残時間を容易に確認することができる。
【００２９】
なお、本実施例の構成では、電源消費部品１５３を携帯電話機１００の全回路を指しているが、これを更に通信を最低限可能とする回路部分とそれ以外の回路部分に分けて、定電圧回路１５２の出力はスイッチ回路１５４を経て、通信を最低限可能とする回路部分のみに供給されるように構成してもよい。これにより、非常時の通信に必要な電力をより信頼性よく、かつ、より長時間供給できることになる。
【００３０】
また、実施例では操作プルリング１１２を１回だけ引き出して発電することにしたが、ラチェット機構を用いて操作プルリング１１２を複数回引き出して、ぜんまい１３３を少しずつ巻き上げるようにしてもよい。この場合には、ぜんまい１３３が十分巻き上がった時点でそれ以上操作プルリング１１２を引き出しても、ぜんまい１３３が巻き上げられないように過巻き防止ラッチが設けられていてもよい。
【００３１】
＜発明の第１の変形例＞
【００３２】
図７は、本発明の第１の変形例における携帯電話機を表わしたものである。図７で図１と同一部分には同一の符号を付しており、これらの説明を適宜省略する。
【００３３】
第１の変形例の携帯電話機１００Ａは、第１の筐体１０１Ａと第２の筐体１０２Ａの２つの筐体をヒンジ機構部１０３Ａが連結しており、折り畳み可能となっている。第１の筐体１０１Ａの側部には、ラッチ解除ボタン１０６が取り付けられている。携帯電話機１００Ａを図１に示したように完全に開いた状態で、ラッチ解除ボタン１０６を押下すると、ヒンジ機構部１０３Ａを中心にして第１の筐体１０１Ａを第２の筐体１０２Ａに対して回転させることができる。
【００３４】
図８は、携帯電話機の回転の様子を表わしたものである。同図（ａ）は図７と同様の状態であり、同図（ｂ）は第１の筐体１０１Ａを２７０度回転させた状態を表わしたものである。第１の筐体１０１Ａは矢印２１１で示す方向に複数回回転させることができ、この回転によって第１の筐体１０１Ａ内部のぜんまいを巻き上げるようになっている。
【００３５】
図９は、この第１の変形例における発電ユニットの要部を原理的に表わしたものである。発電ユニット１３２Ａは、第２の筐体１０２Ａに基部２１１を固定し、ヒンジ機構部１０３Ａに凹型の第１の掛合部２１２を突出させた固定部２１３と、携帯電話機１００Ａが図７のように完全に開いた状態で、ヒンジ機構部１０３Ａを中心として第１の筐体１０１Ａが回転するのに伴って第１の掛合部２１２と掛合して回転する第２の掛合部２１５を一端に有する動力伝達軸２１６を備えている。
【００３６】
動力伝達軸２１６の他端には、円錐状のロータ２１７が加工されている。このロータ２１７の周囲には歯２１８が刻まれており、ぜんまい１３３を巻き上げる大径の第１の歯車１３６Ａの盤面に同心円状に、かつ放射状に加工された歯２１９と歯合している。したがって、ヒンジ機構部１０３Ａを中心として第１の筐体１０１Ａを所定方向に回転させると、動力伝達軸２１６を中心にして第１の歯車１３６Ａが回転し、これと共に第１の歯車１３６Ａは回転軸１３４を中心に回転してぜんまい１３３を巻き上げることになる。
【００３７】
ラッチ解除ボタン１０６に連結されたラッチ機構１４４Ａは、第１の歯車１３６Ａの歯あるいはこれよりも更に中心側に寄った図示しない凹凸部に掛合することで、ラッチし、この歯あるいは凹凸部から退避することでラッチを解除するようになっている。なお、ラッチが解除され、ぜんまい１３３が解かれる状態で、第１の歯車１３６Ａの回転により、図５に示したような他の歯車が回転し、図５に示した発電用のモータ１４２が発電を行うようになっている。
【００３８】
なお、この第１の変形例の携帯電話機１００Ａでは、発電を行っているときにヒンジ機構部１０３Ａを中心として第１の筐体１０１Ａが第２の筐体１０２Ａに対して回転するが、その速度は極めて遅い。したがって、操作に大きな障害を発生させるものではない。もちろん、発電の際には第１の筐体１０１Ａが第２の筐体１０２Ａに従動して回転しないように機構を工夫することも可能である。
【００３９】
また、この第１の変形例の携帯電話機１００Ａでは、第１の筐体１０１Ａを第２の筐体１０２Ａに対して同一方向に複数回回転させることでぜんまい１３３を巻き上げたが、ラチェット機構を用いてたとえば９０度以内の範囲で回転を繰り返し、順次、間歇的にぜんまい１３３を巻き上げるようにしてもよい。
【００４０】
＜発明の第２の変形例＞
【００４１】
図１０は、本発明の第２の変形例における携帯電話機の原理的な構成を表わしたものである。この第２の変形例では、折り畳み式の携帯電話機１００Ｂの第１の筐体１０１Ｂの内部に先の実施例と同様の図示しない発電ユニットを配置すると共に、プルライン１１３Ｂの一端を固定している。このプルライン１１３Ｂはヒンジ機構（図示せず）に設けられたローラ２５１の外周に摺接して第２の筐体１０２Ｂの内部を貫通しており、所定位置に他端が固定されている。
【００４２】
図１１は、この携帯電話機を閉じた状態を表わしたものである。図１０の開いた状態から携帯電話機１００Ｂを閉じていくと、ローラ２５１はプルライン１１３Ｂの矢印２５２、２５３方向の動きに応じて回転する。このローラ２５１の回転は、図示しないラチェット機構を介して図示しないぜんまいを巻き上げることになる。この携帯電話機１００Ｂには過巻き防止ラッチも備えられている。
【００４３】
この第２の変形例の携帯電話機１００Ｂは、ユーザが普段、第１の筐体１０１Ｂと第２の筐体１０２Ｂの開閉を行うたびに、少しずつローラ２５１がぜんまいを巻き上げている。したがって、図示しない充電電池の電気切れが生じたときにラッチ解除ボタン１０６Ｂを押すだけで、数分間の発電が可能になり、携帯電話機１００Ｂによる緊急の仕事を済ませることができる。もちろん、ユーザはその後も、第１の筐体１０１Ｂと第２の筐体１０２Ｂの開閉を所定回数以上繰り返すことでぜんまいを十分に巻き上げることができ、発電を可能にすることができる。
【００４４】
なお、実施例では携帯電話機を例に挙げて説明したが、比較的電力の消費が少ない、携帯型のあらゆる電子機器に本発明を適用できることは当然である。また、ぜんまいのトルクを伝達する歯車の数やモータまでの伝達機構の種類は実施例に限定されるものではない。
【図面の簡単な説明】
【００４５】
【図１】本発明の一実施例における携帯型電子装置としての携帯電話機の正面図である。
【図２】本実施例の携帯電話機の背面図である。
【図３】本実施例の携帯電話機の操作プルリングを取り出した状態を表わした正面図である。
【図４】本実施例の携帯電話機の発電の手順を表わした説明図である。
【図５】本実施例の携帯電話機の装置本体に収容された発電ユニットの概略構成図である。
【図６】本実施例の携帯電話機の回路構成の概要を表わしたブロック図である。
【図７】本発明の第１の変形例における携帯電話機の正面図である。
【図８】第１の変形例における携帯電話機の回転の様子を表わした説明図である。
【図９】第１の変形例における発電ユニットの要部を原理的に表わした原理図である。
【図１０】本発明の第２の変形例における携帯電話機の原理的な構成を表わした側面図である。
【図１１】携帯電話機を閉じた状態を側面から表わした原理図である。
【符号の説明】
【００４６】
１００、１００Ａ、１００Ｂ  携帯電話機
１０１  装置本体
１０１Ａ、１０１Ｂ  第１の筐体
１０２Ａ、１０２Ｂ  第２の筐体
１０６  ラッチ解除ボタン
１１２  操作プルリング
１１３、１１３Ｂ  プルライン
１３１  発電ユニット
１３３  ぜんまい
１３５  プーリ
１３６、１３６Ａ  第１の歯車
１３７  第２の歯車
１３８  第３の歯車
１３９  第４の歯車
１４１  トルク伝達盤
１４２  モータ
１４４、１４４Ａ  ラッチ機構
１５１  充電電池
１５２  定電圧回路
１５３  電源消費部品
１５４  スイッチ回路
２１２  第１の掛合部
２１３  固定部
２１５  第２の掛合部
２１６  動力伝達軸
２１７  ロータ
２１８、２１９  歯
２５１  ローラ
【図１】
2008109803.tif 000003
【図２】
2008109803.tif 000004
【図３】
2008109803.tif 000005
【図４】
2008109803.tif 000006
【図５】
2008109803.tif 000007
【図６】
2008109803.tif 000008
【図７】
2008109803.tif 000009
【図８】
2008109803.tif 000010
【図９】
2008109803.tif 000011
【図１０】
2008109803.tif 000012
【図１１】
2008109803.tif 000013